【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
少なくとも移動地点情報とその日時情報とを含む履歴情報を記憶する履歴情報
記憶手段と、
該履歴情報記憶手段により記憶された前記履歴情報に基づいて使用者の嗜好情
報を作成する第１の嗜好情報作成手段と、
該第１の嗜好情報作成手段により作成された前記嗜好情報を前記嗜好情報記憶
手段に登録する第１の嗜好情報登録手段とを備え、
前記第１の嗜好情報作成手段が、各移動地点における滞在時間の長さに基づい
て前記嗜好情報を作成するものであり、
前記情報抽出手段が、前記各種情報の中から滞在時間の長い移動地点周辺の情
報を、該滞在時間の長い移動地点からの距離に応じてランク付けして抽出するも
のであることを特徴とする端末装置。
【請求項２】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
少なくとも移動地点情報とその日時情報とを含む履歴情報を記憶する履歴情報
記憶手段と、
該履歴情報記憶手段により記憶された前記履歴情報に基づいて使用者の嗜好情
報を作成する第１の嗜好情報作成手段と、
該第１の嗜好情報作成手段により作成された前記嗜好情報を前記嗜好情報記憶
手段に登録する第１の嗜好情報登録手段とを備え、
前記第１の嗜好情報作成手段が、各移動地点における滞在時間の長さに基づい
て前記嗜好情報を作成するものであり、
前記情報抽出手段が、滞在時間の長い移動地点での滞在時間帯に基づいて、前
記各種情報の中から前記滞在時間の長い移動地点周辺の情報をランク付けして抽
出するものであることを特徴とする端末装置。
【請求項３】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記各種情報が表示される時間を単位情報毎に計時する表示時間計時手段と、
該表示時間計時手段により計時された単位情報毎の表示時間に基づいて、該表
示時間の長さに応じてランク付けされた使用者の嗜好情報を作成する第２の嗜好
情報作成手段と、
該第２の嗜好情報作成手段により作成された前記嗜好情報を前記嗜好情報記憶
手段に登録する第２の嗜好情報登録手段とを備え、
前記情報抽出手段が、前記各種情報の中から前記嗜好情報に該当する情報をラ
ンク順に抽出するものであることを特徴とする端末装置。
【請求項４】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
少なくとも目的地設定回数を含む目的地情報を記憶する目的地情報記憶手段と
、
該目的地情報記憶手段により記憶された目的地情報の目的地設定回数に基づい
てランク付けされた使用者の嗜好情報を作成する第３の嗜好情報作成手段と、
該第３の嗜好情報作成手段により作成された前記嗜好情報を前記嗜好情報記憶
手段に登録する第３の嗜好情報登録手段とを備え、
前記情報抽出手段が、前記各種情報の中から前記嗜好情報に該当する地点のラ
ンクに応じて設定された所定エリア内の情報を抽出するものであることを特徴と
する端末装置。
【請求項５】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
地図上の任意の地点に対するコメント情報を入力するためのコメント情報入力
手段と、
該コメント情報入力手段を介して入力されたコメント情報を他の端末装置へ送
信するコメント情報送信手段と、
他の端末装置から送信されたコメント情報を受信するコメント情報受信手段と
、
前記コメント情報の構成語句とその地点情報とを関連付けて記憶するコメント
情報記憶手段と、
前記コメント情報入力手段を介して入力されたコメント情報の構成語句の使用
頻度に応じてランク付けされた使用者の嗜好情報を作成する第４の嗜好情報作成
手段と、
該第４の嗜好情報作成手段により作成された前記嗜好情報を前記嗜好情報記憶
手段に登録する第４の嗜好情報登録手段とを備え、
前記情報抽出手段が、前記コメント情報受信手段で受信したコメント情報の中
から使用頻度の高い語句を含むコメント情報、及び／又は前記語句と関連付けら
れた地点に関連する情報を抽出するものであることを特徴とする端末装置。
【請求項６】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
少なくとも発着信回数を含む電話の発着信履歴情報を記憶する発着信履歴情報
記憶手段と、
該発着信履歴情報記憶手段により記憶された発着信相手の情報と、該発着信相
手の発着信回数に応じてランク付けされた情報とを使用者の嗜好情報として前記
嗜好情報記憶手段に登録する第５の嗜好情報登録手段とを備え、
前記情報抽出手段が、前記各種情報の中から前記発着信相手の登録情報に関連
する情報をランク毎に抽出するものであることを特徴とする端末装置。
【請求項７】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含み、該施設情報が、
前記センタ端末側で決められた所定の施設ジャンル順に配列されているものであ
り、
前記嗜好情報設定手段が、使用者が嗜好する施設ジャンルの順位を設定するた
めのものであり、
前記情報抽出手段が、前記施設情報の中から前記嗜好情報設定手段で設定され
た施設ジャンルの情報を抽出するものであり、
前記情報出力手段が、前記情報抽出手段により抽出された前記情報を使用者の
嗜好施設ジャンル順に並び替えて出力するものであることを特徴とする端末装置
。
【請求項８】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含み、該施設情報が、
前記センタ端末側から施設ジャンル別に配信されてくるものであり、
前記嗜好情報設定手段が、使用者が嗜好する施設ジャンルを設定するためのも
のであり、
前記情報抽出手段が、前記施設情報の施設ジャンルと前記嗜好情報設定手段で
設定された前記施設ジャンルとが一致した場合にこれら情報を抽出して記憶させ
るものであり、
前記情報出力手段が、前記情報抽出手段により抽出して記憶された前記情報を
出力するものであることを特徴とする端末装置。
【請求項９】  センタ端末から配信される各種情報を取得する情報取得手段
を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含み、該施設情報が、
施設に関する付加情報を含むものであり、
前記嗜好情報設定手段が、使用者が不要とする情報を設定するためのものであ
り、
前記情報抽出手段が、前記付加情報の中に使用者が不要とする前記情報が含ま
れる施設情報を抽出して破棄させるものであり、
前記情報出力手段が、前記情報抽出手段により破棄されなかった施設情報を出
力するものであることを特徴とする端末装置。
【請求項１０】  センタ端末から配信される各種情報を取得する情報取得手
段を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含み、該施設情報が、
通信ネットワーク上のアドレス情報を含むものであり、
前記嗜好情報設定手段が、使用者が嗜好する施設ジャンルを設定するためのも
のであり、
前記情報抽出手段が、前記施設情報の中から前記嗜好情報設定手段で設定され
た前記施設ジャンルと一致する施設のアドレス情報を抽出して記憶させるもので
あり、
前記情報出力手段が、前記情報抽出手段により抽出して記憶された前記アドレ
ス情報を出力するものであることを特徴とする端末装置。
【請求項１１】  センタ端末から配信される各種情報を取得する情報取得手
段を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含むものであり、
前記嗜好情報設定手段が、使用者が嗜好する施設ジャンルを設定するためのも
のであり、
前記情報抽出手段が、前記施設情報の中から表示エリア内の前記嗜好情報設定
手段で設定された前記施設ジャンルの情報を抽出するものであり、
前記情報出力手段が、前記情報抽出手段により抽出された前記表示エリア内の
前記情報を出力するものであることを特徴とする端末装置。
【請求項１２】  前記嗜好情報設定手段が、施設情報を抽出する地点を設定
するための情報抽出地点設定手段を備え、
前記情報抽出手段が、前記施設情報の中から前記情報抽出地点設定手段を介し
て設定された地点近辺の表示エリア内の前記情報を抽出するものであることを特
徴とする請求項１１記載の端末装置。
【請求項１３】  センタ端末から配信される各種情報を取得する情報取得手
段を備えた端末装置において、
使用者の嗜好情報を記憶するための嗜好情報記憶手段と、
該嗜好情報記憶手段に記憶されている前記嗜好情報に基づいて、前記各種情報
の中から前記嗜好情報に該当する情報を抽出する情報抽出手段と、
該情報抽出手段により抽出された情報を出力する情報出力手段と、
前記嗜好情報を設定するための嗜好情報設定手段とを備え、
前記各種情報が、少なくともある地点近辺の施設情報を含み、該施設情報が、
前記センタ端末側で決められた施設ジャンルコードで管理されているものであり
、
前記嗜好情報設定手段が、使用者が嗜好する施設ジャンルを設定するためのも
のであり、
前記情報抽出手段が、前記施設ジャンルコードを判別するコード判別手段を備
え、該コード判別手段により前記施設情報に含まれる施設ジャンルを判別し、判
別された施設ジャンルの中から前記嗜好情報設定手段で設定された前記施設ジャ
ンルの情報を抽出するものであり、
前記情報出力手段が、前記情報抽出手段により抽出された前記情報を出力する
ものであることを特徴とする端末装置。
【請求項１４】  前記施設ジャンルコードの施設ジャンル名を登録するため
の施設ジャンル名登録手段を備え、
前記情報出力手段が、前記情報抽出手段により抽出された前記情報を前記施設
ジャンル名登録手段を介して登録された施設ジャンル名で出力するものであるこ
とを特徴とする請求項１３記載の端末装置。